(57)【特許請求の範囲】
【請求項１】
デジタル映像情報及びデジタル音声情報の少なくとも一方を含む符号化データをダビングするダビング処理を含む信号処理方法であって、
前記符号化データが記録されている第１の記録媒体から前記符号化データを、通常再生時に必要な第１の平均転送レートより高い第２の平均転送レートで読み出す第１の信号処理ステップと、
読み出された前記符号化データを前記第２の平均転送レートで第２の記録媒体に書込むとともに、前記符号化データの少なくとも一部を復号化し、書込まれている前記符号化データに対応する復号化データを出力する第２の信号処理ステップとを含み、
前記第２の信号処理ステップでは、ユーザ操作により発生する操作信号に基づいて、前記第２の記録媒体へ書込まれる前記符号化データの書込み位置または書込み時刻を示す補助情報が前記第２の記録媒体へさらに書込まれることを特徴とする信号処理方法。
【請求項２】
前記符号化データは、画像の複雑さに応じて単位時間当たりの発生符号量が変化する可変レート符号化処理によりデジタル映像信号を符号化したデータであり、
前記第２の信号処理ステップでは、前記復号化データとしてデジタル映像信号が出力されることを特徴とする請求項１に記載の信号処理方法。
【請求項３】
前記可変レート符号化処理は、符号化対象となるフレームあるいはフィールドである対象画面に対して、他のフレームあるいはフィールドである他画面を参照せずに前記デジタル映像信号の符号化処理を施す画面内符号化処理と、前記対象画面に対して、前記他画面を参照して前記デジタル映像信号の符号化処理を施す画面間予測符号化処理とを含み、
前記第２の信号処理ステップでは、前記画面内符号化処理が施された複数の画面の少なくとも一部に対する前記復号化データが離散的に出力され、１つの画面に対応する出力状態が、次の画面に対応する前記復号化データが出力されるまで保持されることを特徴とする請求項２に記載の信号処理方法。
【請求項４】
前記可変レート符号化処理は、符号化対象となるフレームあるいはフィールドである対象画面に対して、他のフレームあるいはフィールドである他画面を参照せずに前記デジタル映像信号の符号化処理を施す画面内符号化処理と、前記対象画面に対して、時間軸上で前記対象画面の前に位置する、他のフレームあるいはフィールドである前画面を参照して前記デジタル映像信号の符号化処理を施す画面間予測符号化処理とを含み、
前記第２の信号処理ステップでは、前記画面内符号化処理あるいは前記画面間予測符号化処理が施された複数の画面の少なくとも一部に対する前記復号化データが離散的に出力され、１つの画面に対応する出力状態が、次の画面に対応する前記復号化データが出力されるまで保持されることを特徴とする請求項２に記載の信号処理方法。
【請求項５】
前記第２の信号処理ステップでは、前記画面内符号化処理が施された画面のみに対して、前記符号化データの復号化処理を施す第１の復号化処理と、前記画面内符号化処理及び前記画面間予測符号化処理が施された画面に対して、前記符号化データの復号化処理を施す第２の復号化処理とを、
前記符号化データの単位時間当たりの符号発生量に応じて切り換えられることを特徴とする請求項４に記載の信号処理方法。
【請求項６】
前記第２の信号処理ステップでは、フレームあるいはフィールドとしての画面を複数含む画面群の１つまたは複数を単位として復号化し、前記画面群の１つまたは複数に対応する前記復号化データを、一つの連続した前記復号化データとして出力し、前記連続した復号化データの最後の画面に対応する出力状態が、次の１つまたは複数の画面群に対応する前記復号化データが出力されるまで保持されることを特徴とする請求項２に記載の信号処理方法。
【請求項７】
前記第２の平均転送レートは、ＭＰＥＧ方式の可変レート符号化処理における最大符号化レートに略等しいものであることを特徴とする請求項２に記載の信号処理方法。
【請求項８】
前記第２の平均転送レートは、ＭＰＥＧ方式の可変レート符号化処理における最大符号化レートより高い転送レートであることを特徴とする請求項２に記載の信号処理方法。
【請求項９】
前記符号化データは、デジタル音声信号を符号化したデータであり、
前記第２の信号処理ステップでは、前記復号化データとしてデジタル音声信号が出力されることを特徴とする請求項１に記載の信号処理方法。
【請求項１０】
前記第２の信号処理ステップでは、第１の期間には前記符号化データを復号化し、前記第１の期間に続く第２の期間には前記符号化データの復号化をスキップする間欠的な音声復号化処理を繰り返し行い、前記第１の期間及び前記第２の期間の間に、第１の期間に復号化されたデジタル音声信号が出力されることを特徴とする請求項９に記載の信号処理方法。
【請求項１１】
前記第２の信号処理ステップでは、前記補助情報が、前記第２の記録媒体の、記録対象となるデータの管理情報が記録される管理情報記録領域に記録されることを特徴とする請求項１に記載の信号処理方法。
【請求項１２】
前記第２の信号処理ステップでは、前記補助情報を、前記ユーザ操作信号が発生した時刻より所定時間だけ以前に前記第２の記録媒体への書込みが行われた前記符号化データの書込み位置または前記符号化データの書込み時刻を示すものとなるよう補正し、補正後の前記補助情報が、第２の記録媒体に書込まれることを特徴とする請求項１に記載の信号処理方法。
【請求項１３】
前記第１の記録媒体として、また前記第２の記録媒体として、ハードディスク，光ディスク，光磁気ディスク，半導体メモリ，あるいは磁気テープを用いることを特徴とする請求項１に記載の信号処理方法。
【請求項１４】
デジタル映像情報及びデジタル音声情報の少なくとも一方を含む符号化データをダビングする信号処理装置であって、
前記符号化データが記録されている第１の記録媒体から前記符号化データを、通常再生時に必要な第１の平均転送より高い第２の平均転送レートで読み出し、読み出された前記符号化データを前記第２の平均転送レートで第２の記録媒体に書込むデータ書込部と、
読み出された前記符号化データの少なくとも一部を復号化し、書込まれている前記符号化データに対応する復号化データを出力する復号化部とを備え、
前記データ書込部は、ユーザ操作により発生する操作信号に基づいて、前記第２の記録媒体へ書込まれる前記符号化データの書込み位置または書込み時刻を示す補助情報を前記第２の記録媒体へさらに書込むことを特徴とする信号処理装置。
【発明の詳細な説明】
【０００１】
【発明の属する技術分野】
本発明は、信号処理方法及び信号処理装置に関し、特にデジタル映像データあるいはデジタル音声データを高速ダビングするための信号処理に関するものである。
【０００２】
【従来の技術】
従来から、アナログ音声信号の記録再生装置としてカセットテープレコーダなどのオーディオ機器があり、アナログ映像信号の記録再生装置としてビデオテープレコーダがある。
そして、従来のカセットテープレコーダなどのアナログオーディオ機器には、磁気テープに記録されたアナログ音声信号を、通常再生時のテープ速度の倍速でダビングする動作モードを有するものがある。このようなアナログオーディオ機器では、倍速ダビング時にも、再生された音声が出力され、これによりダビング状況のモニタが可能となっている。
【０００３】
また、既存のビデオテープレコーダ（ＶＴＲ）は、磁気テープに記録されたアナログ映像信号を再生する再生状態では、ビデオ出力端子に再生されたアナログ映像信号が出力されるようになっている。このため、第１のＶＴＲのビデオ出力端子を、第２のＶＴＲの映像入力端子に接続することにより、第１のＶＴＲにてアナログ映像信号を再生しつつ、この再生されたアナログ映像信号を第２のＶＴＲにて記録することができる。つまり、アナログ映像信号のダビングを、ダビング状況をモニターしつつ行うことができる。
【０００４】
但し、このような２つのＶＴＲを用いたアナログ映像信号のダビングは、通常再生速度でのみ可能であり、通常再生速度より高速で行うことは不可能である。例えば、再生側ＶＴＲではアナログ映像信号を高速再生することは可能であるが、記録側ＶＴＲではアナログ映像信号を高速記録することができない。
また近年では、デジタル音声データを対象とするＭＤレコーダなどの記録再生装置や、デジタル映像データを対象とするＤＶＤレコーダなどの記録再生装置が実用化されている。
【０００５】
このようなデジタルデータを対象とする記録再生装置では、音質や画質の劣化を招くことなく、デジタルデータを複製することができることから、このような記録再生装置では、画像情報や音声情報を、デジタルデータの形式で保存したり編集したりすることがさかんに行われるようになると考えられる。
そこで、ＤＶＤレコーダにハードディスクドライブなどのデジタルデータの記録装置を搭載した記録再生装置などの実用化も検討されている。
【０００６】
図６は、このようなＤＶＤレコーダにハードディスクを搭載した記録再生装置の概略的な構成を示すブロック図である。
図６に示す記録再生装置１０は、大容量データ記憶媒体としてのハードディスク１０ａと、光ディスクに対してデータのアクセスを行う光ディスクドライブ１０ｂと、パソコン外部の表示部２０に対するインターフェイス１０ｃと、上記ハードディスク１０ａ，光ディスクドライブ１０ｂ及びインターフェイス１０ｃに対してデジタルデータのアクセスを行うとともに、デジタルデータに対する、復号化処理などの種々の処理を行うための信号処理部１０ｄとを有している。
【０００７】
上記ハードディスク１０ａには、種々のデジタルデータが格納されており、例えば、デジタル映像データは、符号化されてビデオストリームとして格納されている。また、上記信号処理部１０ｄは、デジタルデータに対する信号処理として、ハードディスク１０ａからビデオストリームＳｖを読み出して光ディスクドライブ１０ｂに供給するデータ転送処理、ハードディスク１０ａからビデオストリームＳｖを読み出し、読み出されたビデオストリームを復号化してインターフェイス部１０ｃに出力する復号化処理などを行うものである。また、上記インターフェイス部１０ｃは、信号処理部１０ｄでのビデオストリームの復号化により得られたデジタル映像データＤｖをアナログ映像データＡｖに変換して表示部２０に供給するものである。
【０００８】
次にこのような構成の記録再生装置にて、デジタル映像データの表示及びダビングを行う場合について簡単に説明する。
上記記録再生装置１０により上記デジタル映像データの表示を行う場合には、まず、ビデオストリームＳｖがハードディスク１０ａから信号処理部１０ｄへ読み出される。そして読み出されたビデオストリームＳｖが上記信号処理部１０ｃにて復号化され、ビデオストリームＳｖの復号化により得られたデジタル映像データＤｖがインターフェイス部１０ｃを介してアナログ映像データＡｖとして表示部２０に出力される。この場合、ビデオストリームＳｖがハードディスク１０ａから信号処理部１０ｄへ転送される平均データ転送速度は、デジタル映像データの表示を行う場合の通常再生処理に対応した通常転送速度となっている。
【０００９】
また、上記ビデオストリームＳｖのダビングを行う場合には、ビデオストリームＳｖがハードディスク１０ａから信号処理部１０ｃへ読み出され、該読み出されたビットストリームＳｖが上記光ディスクドライブ１０ｂに供給される。すると、上記光ディスクドライブ１０ｂでは、ビデオストリームＳｖを光ディスクに書き込む処理が行われる。この場合、ハードディスク１０ａから上記信号処理部１０ｄに転送されるデータ（ビデオストリーム）の転送速度、言いかえるとハードディスク１０ａから光ディスクドライブ１０ｂへ転送されるデータの転送速度は、上記光ディスクドライブ１０ｂのデータ書き込み能力に応じたものとなり、一般には、上記通常転送速度の２倍，４倍，８倍といった高速転送速度となる。
【００１０】
なお、図６の説明では、ビデオストリームＳｖがハードディスク１０ａから光ディスクドライブ１０ｂへ転送される場合を示したが、ビデオストリームＳｖがハードディスク１０ａから他のハードディスクへ転送される場合には、ビデオストリームＳｖの転送速度は、ビデオストリームが光ディスクドライブ１０ｂへ転送される場合に比べてさらに高速なものとなる。
【００１１】
【発明が解決しようとする課題】
ところが、上記のような記録再生装置１０では、デジタル画像データの表示あるいはビデオストリームのダビングを行うことが可能であるが、デジタル画像データのダビングを行いつつその表示を行うことはできず、ダビング状況をモニタできないという欠点が生じる。
【００１２】
これは以下のような理由による。つまり、符号化されたデジタル映像データ（ビデオストリーム）の復号化処理は、通常再生時のデータ転送速度に応じたデータ処理速度で行われる。これに対し、ビデオストリームのダビングの際には、ハードディスクなどの記録媒体に対するデータのアクセスが通常再生時のデータ転送速度より高速で行われる。このため、通常再生時のデータ転送速度に対応した復号化処理は、通常再生時のデータ転送速度より速いデータ転送速度でアクセスされる、ダビング時のデータ（ビデオストリーム）に単純に適用できるものではない。
【００１３】
例えば、ＤＶＤ（Digital Video Disk）に記録されたデータに代表される、ＭＰＥＧ（Moving Picture Experts Group）規格に対応した可変レート符号化処理により符号化されたデジタル映像データをダビングする場合にも、通常再生に必要な平均転送レートより高速の平均転送レートにより上記デジタル映像データのダビングが行われることとなる。従ってこの場合も、符号化されたデジタル映像データ（ビデオストリーム）のダビングと並行してその復号化処理を行うことはできず、ダビング状況をモニタすることはできない。
【００１４】
また、上記のように高速ダビング時にダビング状況をモニタできないという問題は、デジタル映像データに限ったものではなく、デジタル音声データについても同様な問題があった。つまり、符号化されたデジタル音声データの高速ダビングの際にも、該データを復号化して音声を正確にモニタすることは不可能であった。
【００１５】
この発明は上記のような問題点を解決するためになされたもので、デジタル映像データあるいはデジタル音声データの高速ダビングの際に、ダビング状況をモニタすることができる信号処理方法及び信号処理装置を得ることを目的とする。
【００１６】
【課題を解決するための手段】
この発明（請求項１）に係る信号処理方法は、デジタル映像情報及びデジタル音声情報の少なくとも一方を含む符号化データをダビングするダビング処理を含む信号処理方法であって、前記符号化データが記録されている第１の記録媒体から前記符号化データを、通常再生時に必要な第１の平均転送レートより高い第２の平均転送レートで読み出す第１の信号処理ステップと、読み出された前記符号化データを前記第２の平均転送レートで第２の記録媒体に書込むとともに、前記符号化データの少なくとも一部を復号化し、書込まれている前記符号化データに対応する復号化データを出力する第２の信号処理ステップとを含み、前記第２の信号処理ステップでは、ユーザ操作により発生する操作信号に基づいて、前記第２の記録媒体へ書込まれる前記符号化データの書込み位置または書込み時刻を示す補助情報が前記第２の記録媒体へさらに書込まれるものである。
【００１７】
この発明（請求項２）は、請求項１記載の信号処理方法において、前記符号化データが、画像の複雑さに応じて単位時間当たりの発生符号量が変化する可変レート符号化処理によりデジタル映像信号を符号化したデータであり、前記第２の信号処理ステップでは、前記復号化データとしてデジタル映像信号が出力されるものとしたものである。
【００１８】
この発明（請求項３）は、請求項２記載の信号処理方法において、前記可変レート符号化処理が、符号化対象となるフレームあるいはフィールドである対象画面に対して、他のフレームあるいはフィールドである他画面を参照せずに前記デジタル映像信号の符号化処理を施す画面内符号化処理と、前記対象画面に対して、前記他画面を参照して前記デジタル映像信号の符号化処理を施す画面間予測符号化処理とを含み、前記第２の信号処理ステップでは、前記画面内符号化処理が施された複数の画面の少なくとも一部に対する前記復号化データが離散的に出力され、１つの画面に対応する出力状態が、次の画面に対応する前記復号化データが出力されるまで保持されるものとしたものである。
【００１９】
この発明（請求項４）は、請求項２記載の信号処理方法において、前記可変レート符号化処理が、符号化対象となるフレームあるいはフィールドである対象画面に対して、他のフレームあるいはフィールドである他画面を参照せずに前記デジタル映像信号の符号化処理を施す画面内符号化処理と、前記対象画面に対して、時間軸上で前記対象画面の前に位置する、他のフレームあるいはフィールドである前画面を参照して前記デジタル映像信号の符号化処理を施す画面間予測符号化処理とを含み、前記第２の信号処理ステップでは、前記画面内符号化処理あるいは前記画面間予測符号化処理が施された複数の画面の少なくとも一部に対する前記復号化データが離散的に出力され、１つの画面に対応する出力状態が、次の画面に対応する前記復号化データが出力されるまで保持されるものとしたものである。
【００２０】
この発明（請求項５）は、請求項４記載の信号処理方法において、前記第２の信号処理ステップでは、前記画面内符号化処理が施された画面のみに対して、前記符号化データの復号化処理を施す第１の復号化処理と、前記画面内符号化処理及び前記画面間予測符号化処理が施された画面に対して、前記符号化データの復号化処理を施す第２の復号化処理とを、前記符号化データの単位時間当たりの符号発生量に応じて切り換えられるものとしたものである。
【００２１】
この発明（請求項６）は、請求項２記載の信号処理方法において、前記第２の信号処理ステップでは、フレームあるいはフィールドとしての画面を複数含む画面群の１つまたは複数を単位として復号化し、前記画面群の１つまたは複数に対応する前記復号化データを、一つの連続した前記復号化データとして出力し、前記連続した復号化データの最後の画面に対応する出力状態が、次の１つまたは複数の画面群に対応する前記復号化データが出力されるまで保持されるものとしたものである。
【００２２】
この発明（請求項７）は、請求項２記載の信号処理方法において、前記第２の平均転送レートを、ＭＰＥＧ方式の可変レート符号化処理における最大符号化レートに略等しいものとしたものである。
【００２３】
この発明（請求項８）は、請求項２記載の信号処理方法において、前記第２の平均転送レートを、ＭＰＥＧ方式の可変レート符号化処理における最大符号化レートより高い転送レートとしたものである。
【００２４】
この発明（請求項９）は、請求項１記載の信号処理方法において、前記符号化データが、デジタル音声信号を符号化したデータであり、前記第２の信号処理ステップでは、前記復号化データとしてデジタル音声信号が出力されるものとしたものである。
【００２５】
この発明（請求項１０）は、請求項９記載の信号処理方法において、前記第２の信号処理ステップでは、第１の期間には前記符号化データを復号化し、前記第１の期間に続く第２の期間には前記符号化データの復号化をスキップする間欠的な音声復号化処理を繰り返し行い、前記第１の期間及び前記第２の期間の間に、第１の期間に復号化されたデジタル音声信号が出力されるものとしたものである。
【００２７】
この発明（請求項１１）は、請求項１記載の信号処理方法において、前記第２の信号処理ステップでは、前記補助情報が、前記第２の記録媒体の、記録対象となるデータの管理情報が記録される管理情報記録領域に記録されるものとしたものである。
【００２８】
この発明（請求項１２）は、請求項１記載の信号処理方法において、前記第２の信号処理ステップでは、前記補助情報を、前記ユーザ操作信号が発生した時刻より所定時間だけ以前に前記第２の記録媒体への書込みが行われた前記符号化データの書込み位置または前記符号化データの書込み時刻を示すものとなるよう補正し、補正後の前記補助情報が、第２の記録媒体に書込まれるものとしたものである。
【００２９】
この発明（請求項１３）は、請求項１記載の信号処理方法において、前記第１の記録媒体として、また前記第２の記録媒体として、ハードディスク，光ディスク，光磁気ディスク，半導体メモリ，あるいは磁気テープを用いるものである。
【００３０】
この発明（請求項１４）に係る信号処理装置は、デジタル映像情報及びデジタル音声情報の少なくとも一方を含む符号化データをダビングする信号処理装置であって、前記符号化データが記録されている第１の記録媒体から前記符号化データを、通常再生時に必要な第１の平均転送より高い第２の平均転送レートで読み出し、読み出された前記符号化データを前記第２の平均転送レートで第２の記録媒体に書込むデータ書込部と、読み出された前記符号化データの少なくとも一部を復号化し、書込まれている前記符号化データに対応する復号化データを出力する復号化部とを備え、前記データ書込部が、ユーザ操作により発生する操作信号に基づいて、前記第２の記録媒体へ書込まれる前記符号化データの書込み位置または書込み時刻を示す補助情報を前記第２の記録媒体へさらに書込むものである。
【００３２】
【発明の実施の形態】
以下、本発明の実施の形態について説明する。
（実施の形態１）
図１は、本発明の実施の形態１による信号処理装置を説明するためのブロック図であり、図(a)は該信号処理装置を示し、図(b)は該信号処理装置を構成する復号器を示している。
【００３３】
この実施の形態１の信号処理装置１００は、デジタルデータＤを記憶する第１の記憶装置１０１と、該第１の記憶装置１０１を制御して該装置の記憶媒体からデジタルデータＤを読み出し、読み出されたデジタルデータＤを出力するデータ読出制御部１０１ａと、デジタルデータＤを記憶する第２の記憶装置１０２と、上記第２の記憶装置１０２を制御して、上記データ読出制御部１０１ａから出力されたデジタルデータＤを上記第２の記憶装置１０２の記憶媒体に書き込むデータ書込制御部１０２ａとを有している。
【００３４】
ここで、第１の記憶装置１０１は、ハードディスク（第１の記録媒体）に対するデジタルデータＤのアクセス（記録及び読出し）を行うハードディスクドライブ（ＨＤＤ）であり、第２の記憶装置１０２は、デジタルデータＤを光ディスク（第２の記録媒体）に記録する光ディスクドライブである。
【００３５】
上記信号処理装置１００は、上記データ読出制御部１０１ａから出力されたデジタルデータＤに対して復号化処理を施すとともに、復号化されたデジタルデータをアナログ信号Ａに変換して信号再生部１２０へ出力する復号部１０３と、ユーザ操作信号Ｏpaに応じて、第１の記憶装置から第２の記憶装置への転送データの書込みアドレスを示す補助情報Ｉａを発生する補助情報発生回路１０４とを有している。ここで、上記データ書込制御部１０２ａは、補助情報発生回路１０４にて発生された補助情報Ｉａが入力されると、該補助情報Ｉａが記録媒体（光ディスク）の管理領域に書き込まれるよう第２の記憶装置１０２を制御するものとなっている。
【００３６】
上記信号処理装置１００は、ユーザ操作信号Ｏpb及びＯpcを受け、上記データ読出制御部１０１ａ，データ書込制御部１０２ａ，及び復号部１０３などの動作を制御信号Ｓｃ１，Ｓｃ２，・・・，Ｓｃｎにより制御する動作制御部１０６と、上記スイッチ１０５ａ〜１０５ｃを有し、ユーザのスイッチ操作Ｕosにより上記操作信号Ｏpa〜Ｏpcを発生するユーザ操作部１０５とを有している。
【００３７】
ここでは、上記各部１０１，１０１ａ，１０２，１０２ａ，１０３〜１０６は、１つの装置筐体１００ａ内に格納されている。また、上記第１の記憶装置１０１の記録媒体には、デジタルデータとして、所定の画像系列デジタル映像データをＭＰＥＧ方式の可変レート符号化方式により符号化して得られるビデオストリームを含む多重ビットストリームが記録されている。また、この多重ビットストリームには、上記ビデオストリームだけでなく、上記所定の画像系列を上記デジタル映像データとともに構成するデジタル音声データを符号化してなるオーディオストリームが含まれている。なお、上記可変レート符号化処理は、簡単な画像に対応するデータに対しては、時間当たりの符号の発生量が少ない符号化処理（低レート符号化処理）を施し、複雑な画像に対応するデータに対しては、時間当たりの符号の発生量が多い符号化処理（高レート符号化処理）を施す符号化方式である。
【００３８】
また、上記信号処理装置１００は、動作モードとして、以下の第１〜第４の動作モードを有している。
第１の動作モードは、上記第１の記憶装置１０１に記憶されている多重ビットストリームに基づいて、デジタル映像データ及びデジタル音声データを再生して画像表示及び音声出力を行う通常再生モードである。第２の動作モードは、上記多重ビットストリームの２倍速ダビングを行いつつダビング状況をモニターする倍速ダビングモード、第３の動作モードは、上記ビデオストリームの５倍速ダビングを行いつつダビング状況をモニターする５倍速ダビングモード、第４の動作モードは、上記ビデオストリームの１５倍速ダビングを行いつつダビング状況をモニターする１５倍速ダビングモードである。上記第２ないし第４の動作モードでは、ビデオストリームのダビング中、モニタ画像の表示はフレーム単位で離散的に行われ、モニタ音声の出力は複数のフレームを単位として離散的に行われる。
【００３９】
そして、これらの動作モードの選択は、上記ユーザ操作部１０５におけるスイッチの操作により行われ、動作制御部１０６は、ユーザ操作部１０５からの操作信号Ｏpbに基づいて、データ読出制御部１０１ａ，データ書込制御部１０１ｂ，復号部１０３を、各動作モードに応じた動作を行うよう制御するものとなっている。
【００４０】
以下簡単にＭＰＥＧのビデオストリームについて説明する。
１つの画像系列Ｉｍを構成する各フレーム、例えばフレームＦ０〜Ｆ８は、図２(a)に示すように、時間軸Ｔ上に配置されており、各フレームＦ０〜Ｆ８には、時刻情報として、例えば各フレームを表示すべき表示時刻ｔ（０）〜ｔ（８）〔ｔ（ｎ）＜ｔ（ｎ＋１）（ｎ：０〜７の整数）〕が設定されている。
【００４１】
ＭＰＥＧ対応の符号化方式では、符号化の対象となる対象フレームに対応する画像データを、他のフレームの画像データを参照せず符号化するイントラ符号化処理と、対象フレームに対応する画像データを、他のフレームの画像データを参照して符号化するインター符号化処理とが一定の規則に基づいて切り換えられる。また、インター符号化処理は、符号化処理の対象となるフレームに対して時間軸上にてその前に位置するフレーム（前フレーム）の画像データを参照する順方向予測符号化処理と、符号化処理の対象となるフレームに対して時間軸Ｔ上にてその前及び後に位置するフレームの画像データ、つまり前フレームと後フレームの画像データを参照する双方向予測符号化処理とを含んでいる。
【００４２】
具体的には、フレームＦ２は、その画像データに対してイントラ符号化処理が施されたフレーム（Ｉフレーム）であり、フレームＦ５及びＦ８は、その画像データに対して順方向予測符号化処理が施されたフレーム（Ｐフレーム）であり、フレームＦ０、Ｆ１，Ｆ３，Ｆ４，Ｆ６，Ｆ７は、その画像データに対して双方向予測符号化処理が施されたフレーム（Ｂフレーム）である。
【００４３】
ここで、ＰフレームＦ５は、その前に位置するＩフレームＦ２を参照フレームとする順方向予測符号化処理が施されたものであり、ＢフレームＦ３及びＦ４はそれぞれ、その前に位置するＩフレームＦ２とその後に位置するＰフレームＦ５とを参照フレームとする双方向予測符号化処理が施されたものである。
【００４４】
そして、各フレームの画像データに対する符号化処理により得られた、各フレームＦ０〜Ｆ８に対応する符号化データＳｔ０〜Ｓｔ８は、１つの画像系列Ｉｍに対応するビデオストリームＢｓ中にて、図２(b)に示すように、時間軸Ｔ上での各フレームの配列順序とは異なる順序で配列される。
【００４５】
つまり、隣接するＩフレームの符号化データとＰフレームの符号化データとの間に、あるいは隣接する２つのＰフレームの符号化データとの間に、２つのＢフレームの符号化データが配置される。但し、Ｂフレームの画像データは、その後に位置するＰフレームあるいはＩフレームの画像データを参照して符号化され、言いかえると、復号化側では、Ｂフレームの符号化データは、その後に位置するＰフレームあるいはＩフレームの復号化データを参照して復号化されるため、ビデオストリームにおける各フレームの符号化データの配列順序は、画像系列の時間軸上でのフレームの配列とは異なり、各Ｂフレームの符号化データは、該Ｂフレームに対応する２つの参照フレームの符号化データの後に配置される。
【００４６】
具体的には、ＩフレームＦ２の符号化データＳｔ２とＰフレームＦ５の符号化データＳｔ５との間には、ＢフレームＦ３及びＦ４の符号化データＳｔ３及びＳｔ４ではなく、ＢフレームＦ０及びＦ１の符号化データＳｔ０及びＳｔ１が配置される。
【００４７】
そして、上記ビデオストリームＢｓは、各フレームの符号化データが１５フレーム毎に、それぞれヘッダ情報を有する１つのデータ単位（ＧＯＰ：group of picture）として区分されたデータ構造となっている（図２(c)参照）。例えば、データ単位Ｕｇ１〜Ｕｇ４には、対応するヘッダ情報Ｈｇ１〜Ｈｇ４が付加されている。なお、上記データ単位（ＧＯＰ）は、符号化データのランダムアクセス単位となっている。また、上記ヘッダ情報は、ランダムアクセス単位としてのＧＯＰに含まれるフレームの、画像情報以外の付随情報を含んでいる。
【００４８】
次に、上記信号処理装置１００を構成する復号部１０３の具体的な構成について図１(b)を用いて簡単に説明する。
この復号部１０３は、入力端子１０３ａにデジタルデータＤとして入力された多重ビットストリーム（ＭＰＥＧのシステムストリーム）を解析し、該多重ビットストリームからビデオストリームＳｖとオーディオストリームＳａを分離して出力するストリーム解析部１１３と、ストリーム解析部１１３から出力されたビデオストリームＳｖを上記解析結果に応じて復号化する映像復号化処理を行い、該映像復号化処理により得られた復号化データ（デジタル映像データ）Ｄｖを出力するビデオデコーダ１２３ａと、ストリーム解析部１１３から出力されたオーディオストリームＳａを上記解析結果に応じて復号化する音声復号化処理を行い、該音声復号化処理により得られた復号化データ（デジタル音声データ）Ｄａを出力するオーディオデコーダ１２３ｂとを有している。
【００４９】
また、上記復号部１０３は、上記ビデオデコーダ１２３ａから出力されたデジタル映像データＤｖをアナログ映像信号Ａｖに変換して出力端子１０３ｂに出力するビデオインターフェイス１３３ａと、上記オーディオデコーダ１２３ｂから出力されたデジタル音声データＤａをアナログ音声信号Ａａに変換して出力端子１０３ｃに出力するオーディオインターフェイス１３３ｂとを有している。なお、上記出力端子１０３ｂに出力されたアナログ映像信号Ａｖは、上記信号再生部１２０の映像表示部にて再生され、画像表示が行われる。また、上記出力端子１０３ｃに出力されたアナログ音声信号Ａａは、上記信号再生部１２０の音声出力部に供給され、該音声再生部からは、再生された音声が出力される。
【００５０】
そしてまた、上記復号部１０３におけるビデオデコーダ１２３ａ及びオーディオデコーダ１２３ｂは、上記動作制御部１０６からの制御信号Ｓｃｈに基づいて上記第１〜第４の動作モードに応じた復号化処理を行うよう構成されている。さらに、ビデオデコーダ１２３ａは、上記ダビングモード（第２〜第４の動作モード）では、上記動作制御部１０６からの制御信号Ｓｃｋに応じて、Ｉフレームのみ復号化する第１の復号モード（Ｉ画像復号モード）と、Ｉフレーム及びＰフレームのみ復号化する第２の復号モード（ＩＰ画像復号モード）とを選択するようになっている。
【００５１】
なお、上記制御信号Ｓｃｈ及びＳｃｋはそれぞれ、上記ユーザ操作部１０５でのスイッチ１０５ｂ及び１０５ｃに対するユーザ操作Ｕosにより発生した操作信号Ｏpb及びＯpcに基づいて動作制御部１０６にて発生されるものとする。
【００５２】
以下、上記各デコーダ１２３ａ及び１２３ｂの構成について具体的に説明する。
図３は、上記ビデオデコーダ１２３ａによるビデオストリームの復号化処理を説明するための模式図であり、ダビング時における復号処理の対象となるフレームの間引き方が示されている。具体的には、図３は、通常再生モード（図(a)），倍速ダビングモード（図(b)），及び高速ダビングモード（図(c)，(d)）にてフレーム単位であるいはＧＯＰ単位でビデオストリームに対する復号出力処理が施される様子を示している。フレーム内符号化データ（Ｉデータ）は、ＧＯＰの先頭に位置する。なお、図３では、転送データが復号部に入力されてから復号部から復号データ（復号出力）が出力されるまでは、本来は数フレームの遅延時間があり、つまりＩフレーム（Ｉ１）の復号データ（復号出力）は、Ｉフレームのビデオストリーム（Ｉ１データ）の復号部への転送が完了した後に出力されるものであるが、図３では説明の便宜上、転送データの転送開始時刻と復号データの出力開始時刻とを一致させて示している。
【００５３】
図４は、オーディオデコーダ１２３ｂによるオーディオストリームの復号化処理を説明するための図であり、通常再生モード（図(a)），倍速ダビングモード（図(b)），及び高速ダビングモード（図(c)，(d)）にてＧＯＰ単位でオーディオストリームに対する復号出力処理が施される様子を示している。
【００５４】
通常動作モード（第１の動作モード）が設定されている場合、上記ビデオデコーダ１２３ａは、図３(a)に示すように、システム解析部１１３からのビデオストリーム（読出しデータ）Ｓｖの、すべてのフレームに対する復号化処理を行い、デジタル映像データ（復号出力）Ｄｖを生成する。また、この場合、上記オーディオデコーダ１２３ｂは、図４(a)に示すように、システム解析部１１３からのオーディオストリーム（読出しデータ）Ｓａの、すべてのＧＯＰに対する復号化処理を行い、デジタル音声データ（復号出力）Ｄａを生成する。なお、図３(a)では、１５フレームにより構成される１ＧＯＰに対応するビデオストリームに対する再生処理、つまり読出し，転送，復号及び表示を、１５フレーム期間内で行う様子を示しており、フレーム内符号化データ（Ｉフレームのビデオストリーム）は、ＧＯＰの先頭に位置するものとしている。
【００５５】
倍速ダビングモード（第２の動作モード）及びＩＰ画像復号モードが設定されている場合、上記ビデオデコーダ１２３ａは、図３(b)に示すように、システム解析部１１３からのビデオストリーム（読出しデータ）Ｓｖの復号出力処理により、２つのＧＯＰを構成する３０個のフレームのうち、Ｉフレーム及びＰフレームのみからなる１５個のフレームに対応するデジタル映像データ（復号出力）Ｄｖを出力する。ここで、上記倍速ダビングモード及びＩＰ画像復号モードが設定されている場合の復号出力処理は、Ｉフレーム及びＰフレームに対してはすべてビデオストリームの復号化処理を施し、一部のフレームの復号化されたデジタル映像データ（復号出力）を離散的に出力するものである。つまり、出力されるデジタル映像データは、特定のＩフレーム及び特定のＰフレームに対応するもののみである。また、この場合、上記オーディオデコーダ１２３ｂは、図４(b)に示すように、システム解析部１１３ａからのオーディオストリーム（読出しデータ）Ｓａの復号化処理を、連続する２つのＧＯＰの１つに対してのみ行ってデジタル音声データ（復号出力）Ｄａを生成する。
【００５６】
５倍速ダビングモード（第３の動作モード）及びＩＰ画像復号モードが設定されている場合、上記ビデオデコーダ１２３ａは、図３(c)に示すように、システム解析部１１３からのビデオストリーム（読出しデータ）Ｓｖの復号出力処理により、各ＧＯＰを構成する１５のフレームのうちの、少なくともＩフレームを含む３つのフレームに対応するデジタル映像データ（復号出力）Ｄｖを出力する。ここで、上記５倍速ダビングモード及びＩＰ画像復号モードが設定されている場合の復号出力処理は、Ｉフレーム及びＰフレームに対してはすべてビデオストリームの復号化処理を施し、一部のフレームの復号化されたデジタル映像データ（復号出力）を離散的に出力するものである。つまり、出力されるデジタル映像データは、特定のＩフレーム及び特定のＰフレームに対応するもののみである。この場合、上記オーディオデコーダ１２３ｂは、図４(c)に示すように、システム解析部１１３ａからのオーディオストリーム（読出しデータ）Ｓａの復号化処理を、連続する５つのＧＯＰの１つに対してのみ行ってデジタル音声データ（復号出力）Ｄａを生成する。
【００５７】
１５倍速ダビングモード（第４の動作モード）及びＩ画像復号モードが設定されている場合、上記ビデオデコーダ１２３ａは、図３(d)に示すように、システム解析部１１３ａからのビデオストリーム（読出しデータ）Ｓｖの復号出力処理により、各ＧＯＰを構成する１５個のフレームのうちの、１つのＩフレームのみに対応するデジタル映像データ（復号出力）Ｄｖを生成する。ここで、１５倍速ダビングモード及びＩ画像復号モードが設定されている場合の復号出力処理は、Ｉフレームに対してはすべてビデオストリームの復号化処理を施し、一部のフレームの復号化されたデジタル映像データ（復号出力）を離散的に出力するものである。つまり、出力されるデジタル映像データは、特定のＩフレームに対応するもののみである。また、この場合、上記オーディオデコーダ１２３ｂは、図４(d)に示すように、システム解析部１１３ａからのオーディオストリーム（読出しデータ）Ｓａの復号化処理を、連続する１５個のＧＯＰの１つに対してのみ行ってデジタル音声データ（復号出力）Ｄａを生成する。
【００５８】
なお、この実施の形態１の信号処理装置１００では、第２及び第３の動作モード）ではＩＰ画像復号モードが設定されている場合を示したが、これらの高速ダビングモードでは、Ｉ画像復号モードを設定してもよい。
【００５９】
さらに、上記第４の動作モードでは、上記ビデオストリームに対する復号出力処理は、フレームを単位として行っているが、上記ビデオストリームに対する復号出力処理は、図３(e)に示すようにＧＯＰ（１５フレーム）を単位として行うようにしてもよい。この場合、復号出力処理の対象となるＧＯＰに対しては、該ＧＯＰを構成するすべてのフレームに対して、上記ビデオストリームに対する復号出力処理が施されることとなる。
【００６０】
次に動作について説明する。
なお、上述したように、上記信号処理装置１００の第１の記憶装置１０１には、デジタル映像データをＭＰＥＧの可変レート符号化方式により符号化して得られるビデオストリームを含む多重ビットストリームが記録されている。ここでは、デジタル映像データは、１Ｍｂｐｓから１０Ｍｂｐｓの範囲で可変符号化されているものとする。つまり、デジタル映像データの符号化の際に単位時間当たりに発生する符号量は、１Ｍｂｐｓから１０Ｍｂｐｓの範囲内で変動するものとなっている。また、単位時間当たりの発生符号量の平均値は５Ｍｂｐｓとなっている。従って、第１の動作モード（通常再生モード）にて、第１の記憶装置１０１から多重ビットストリームを読み出す際のビデオストリームの平均転送レートは、５Ｍｂｐｓとなっている。
【００６１】
また、上記多重ビットストリームにはビデオストリームの他にオーディオストリームが含まれているため、通常再生モードにおける多重ビットストリームの転送速度は、実際は、ビデオストリームの平均転送レートにオーディオストリームの平均転送レートを加えたものとなる。但し、デジタル音声データの符号化処理は固定レートで行われ、また、デジタル音声データの符号化処理における単位時間当たりに発生する符号量は、デジタル映像データの符号化処理における単位時間当たりに発生する符号量に比べると非常に小さいものであるため、以下の説明では、説明の簡略化のため、ビデオストリームの平均転送レートを多重ビットストリームの平均転送レートとして説明する。
【００６２】
この実施の形態１の信号処理装置１００では、まず、ユーザ操作部１０５に対するユーザ操作Ｕosにより、上記第１〜第４の動作モードのうちの１つが設定される。例えば、スイッチ１０５ｂの操作によりユーザ操作部１０５から操作信号Ｏｐｂが動作制御部１０６に出力されると、動作制御部１０６では、該操作信号Ｏｐｂに基づいて制御信号Ｓｃ１〜Ｓｃｎのうちの所定のものが、データ読出制御部１０１ａ，データ書込制御部１０２ａ，復号部１０３などに出力される。例えば、復号器１０３のビデオデコーダ１２３ａ及びオーディオデコーダ１２３ｂでは、動作制御部１０６からの制御信号Ｓｃｈに応じて上記第１〜第４の動作モードのうちの１つが設定される。
【００６３】
そして、信号処理装置１００では、設定された動作モードに応じて、第１の記憶装置に格納されているＭＰＥＧの多重ビットストリームに基づいた映像データ及び音声データの再生、及び多重ビットストリームの種々の高速ダビングが行われる。
【００６４】
以下、この実施の形態１の信号処理装置１００の動作を各動作モードに分け、図３及び図４を用いて具体的に説明する。
通常再生モードが設定されている場合には、信号処理装置１００では、データ読出制御部１０１ａの制御により、第１の記憶装置１０１から上記多重ビットストリームが通常再生時の転送速度で読み出される。すると、復号部１０３では、動作制御部１０６の制御により、該読み出された多重ビットストリームに対する通常再生時の復号化処理が行われる。なお、この通常再生モードでは、データ読出制御部１０１ａによるデータ書込制御部１０２ａ及び補助情報発生回路１０４の動作制御は行われず、このためデータ書込制御部１０２ａ及び補助情報発生回路１０４は動作しない。
【００６５】
つまり、復号部１０３のシステム解析部１１３では、上記多重ビットストリームのヘッダ解析が行われ、上記多重ビットストリームからビデオストリームＳｖ及びオーディオストリームＳａが分離される。そしてこれらのビデオストリームＳｖ及びオーディオストリームＳａはそれぞれ、ビデオデコーダ１２３ａ及びオーディオデコーダ１２３ｂに入力される。
【００６６】
すると、ビデオデコーダ１２３ａでは、図３(a)に示すように、読出しデータ（ビデオストリーム）Ｓｖに対して、イントラ復号化処理及びインター復号化処理を含むＭＰＥＧ方式の通常の復号化処理が施される。そしてビデオデコーダ１２３ａから、上記ビデオストリームの復号化により得られたデジタル映像データが復号出力Ｄｖとして出力される。この復号出力Ｄｖでは、Ｉフレーム，Ｐフレーム，Ｂフレームの配列は、図２(a)に示す符号化処理前のデジタル画像データにおけるものと同一となっている。
【００６７】
また、このとき、オーディオデコーダ１２３ｂでは、図４(a)に示すように、読出しデータ（オーディオストリーム）Ｓａに対して、ＭＰＥＧ方式の通常の復号化処理が施される。そしてオーディオデコーダ１２３ｂから、上記オーディオストリームの復号化により得られたデジタル音声データが復号出力Ｄａとしてオーディオインターフェイス１３３ｂに出力される。この復号出力Ｄａにおける、第１のＧＯＰに対応するデジタル音声データ（第１ＧＯＰ音声出力）は、読出しデータにおける、第１のＧＯＰに対応するオーディオストリーム（第１ＧＯＰ音声データ）に対応するものとなっている。
【００６８】
そして、上記ビデオデコーダ１２３ａからのデジタル映像データ（復号出力）Ｄｖがビデオインターフェイス１３３ａに入力されると、ビデオインターフェイス１３３ａでは、デジタル映像データ（復号出力）Ｄｖをアナログ映像信号Ａｖに変換するＤＡ変換処理などが行われ、アナログ映像信号Ａｖが復号部１０３の出力端子１０３ｂを介して、上記信号再生部１２０の映像表示部（図示せず）に供給される。該映像表示部では、アナログ映像信号Ａｖの再生処理により画像表示が行われる。
【００６９】
一方、上記オーディオデコーダ１２３ｂからのデジタル音声データ（復号出力）Ｄａがオーディオインターフェイス１３３ｂに入力されると、オーディオインターフェイス１３３ｂでは、デジタル音声データ（復号出力）Ｄａをアナログ映像信号Ａａに変換するＤＡ変換処理などが行われ、アナログ音声信号Ａａが復号部１０３の出力端子１０３ｃを介して、上記信号再生部１２０の音声出力部（図示せず）に供給される。該音声出力部では、アナログ音声信号Ａａの再生処理により音声出力が行われる。
【００７０】
通常再生モードでは、このようにして、第１の記憶装置１０１からの多重ビットストリームの読出し、ビデオストリーム及びオーディオストリームの分離及び復号処理が行われ、デジタル映像データ及びデジタル音声データの再生が行われる。なお、この通常再生モードにおける平均転送レートは５Ｍｂｐｓである。
【００７１】
次に、ダビングモードでの信号処理装置１００の動作について説明する。
倍速ダビングモードが設定されている場合には、第１の記憶装置の第１の記録媒体（ＨＤＤ）からのデータの読出、第２の記憶装置へのデータの転送、第２の記憶装置の第２の記録媒体（光ディスク）へのデータの書込みは、１０Ｍｂｐｓで行われるものとする。また、復号部１０３には、第１の記録媒体に記録されているすべてのデータ（つまりすべてのフレームのビデオストリーム及びオーディオストリーム）が入力されるが、すべてのデータを復号して再生（画像表示及び音声出力）するわけにはいかないので、上記復号部１０３では、ビデオストリーム及びオーディオストリームに対する復号処理により得られた復号化データの出力処理は、所定のデータ単位を基準として間引かれる。
【００７２】
すなわち、倍速ダビングモードが設定されている場合には、信号処理装置１００では、データ読出制御部１０１ａの制御により、第１の記憶装置１０１の第１の記憶媒体から上記多重ビットストリームが通常再生時の平均的なデータ転送速度の２倍のデータ転送速度（２倍速データ転送速度）で読み出される。
【００７３】
すると、データ書込制御部１０２ａでは、動作制御部１０６からの制御信号に基づいて第２の記憶装置１０２に対するデータ書込制御が行われ、第２の記憶装置１０２では、第１の記憶装置１０１の第１の記憶媒体から読み出された多重ビットストリームが、上記２倍速データ転送速度で第２の記録媒体（光ディスク）に書き込まれる。なお、２倍速データ転送速度は、１５フレーム期間に２ＧＯＰのデータが転送される速度である。
【００７４】
また、この倍速ダビングモードでは、上記データ転送処理と並行して、復号部１０３では、動作制御部１０６からの制御信号に基づいて、上記第１の記憶装置１０１から読み出された多重ビットストリームに対する２倍速ダビング時の復号出力処理が行われる。
【００７５】
つまり、復号部１０３のシステム解析部１１３では、上記通常再生モードの場合と同様、上記第１の記憶装置から読み出された多重ビットストリームのヘッダ解析が行われ、上記多重ビットストリームからビデオストリームＳｖ及びオーディオストリームＳａが分離される。そしてこれらのビデオストリームＳｖ及びオーディオストリームＳａはそれぞれ、ビデオデコーダ１２３ａ及びオーディオデコーダ１２３ｂに入力される。
【００７６】
すると、ビデオデコーダ１２３ａでは、図３(b)に示すように、読出しデータ（ビデオストリーム）Ｓｖに対して、イントラ復号化処理及びインター復号化処理を含む倍速ダビング時の復号出力処理が施される。
【００７７】
つまり、この場合の復号出力処理では、フレーム内符号化フレーム（Ｉフレーム）及び前方向フレーム間符号化フレーム（Ｐフレーム）のみが選択され、Iフレーム及びＰフレームに対応するビデオストリームのみが復号化される。これは、両方向フレーム間符号化フレーム（Ｂフレーム）に対する復号化処理を行う場合には、Ｂフレームの前後の参照フレームに対する復号データが必要となり、該復号化処理には時間がかかるため、倍速ダビングモードでは、Ｂフレームに対する復号化処理は行わないことが望ましいためである。
【００７８】
そしてビデオデコーダ１２３ａから、上記ビデオストリームの復号化により得られたデジタル映像データが復号出力Ｄｖとしてビデオインターフェイス１３３ａに出力される。この復号出力Ｄｖでは、復号化データの配列は、図３(b)に示すように各ＧＯＰ毎にＩフレームの復号化データを先頭フレームのデータとして複数のＰフレームの復号化データが続くものとなっている。また、Ｉフレーム及び所定のＰフレームの復号化データは複数フレーム期間にわたって出力されている。これは、復号化データの出力が離散的に行われる、つまり復号化処理が施されたＩフレーム及びＰフレームのうちの、選択された一部のフレームの復号化データが出力されることから、選択されたフレームの復号化データの出力状態を、次の選択されたフレームに対する復号処理が完了するまで保持（フリーズ）して、表示状態が途切れないようにするためである。
【００７９】
また、このとき、オーディオデコーダ１２３ｂでは、図４(b)に示すように、読出しデータ（オーディオストリーム）Ｓａに対して、倍速ダビング時の復号出力処理が離散的に施される。
【００８０】
つまり、この場合、システム解析部１１３からのオーディオストリーム（読出しデータ）Ｓａの復号化処理は、図４(b)に示すように、連続する２つのＧＯＰの１つに対してのみ行われ、デジタル音声データ（復号出力）Ｄａが生成される。言いかえると、１ＧＯＰ期間連続でオーディオストリームの復号化処理が行われた後、１つのＧＯＰ期間のオーディオストリームの復号化処理がスキップされている。なお、２倍速ダビング時のオーディオ復号出力処理では、オーディオストリーム（読出しデータ）Ｓａの復号化処理はすべてのＧＯＰについて行い、復号化データの出力は、連続する２つのＧＯＰの１つに対してのみ行うようにしてもよい。
【００８１】
そしてオーディオデコーダ１２３ｂから、上記オーディオストリームの復号化により得られたデジタル音声データが復号出力Ｄａとしてオーディオインターフェイス１３３ｂに出力される。この復号出力Ｄａにおける、第１のＧＯＰに対応するデジタル音声データ（第１ＧＯＰ音声出力）は、読出しデータにおける、第１及び第２のＧＯＰに対応するオーディオストリーム（第１ＧＯＰ音声データ及び第２ＧＯＰ音声データ）に対応するものとなっている。
【００８２】
そして、上記ビデオデコーダ１２３ａからのデジタル映像データ（復号出力）Ｄｖは、ビデオインターフェイス１３３ａによりアナログ映像信号Ａｖに変換されて上記信号再生部１２０の映像表示部（図示せず）に供給される。また上記オーディオデコーダ１２３ｂからのデジタル音声データ（復号出力）Ｄａは、オーディオインターフェイス１３３ｂによりアナログ音声信号Ａｖに変換されて上記信号再生部１２０の音声出力部（図示せず）に供給される。
【００８３】
そして、映像表示部では、アナログ映像信号Ａｖの再生処理により画像表示が行われ、音声出力部では、アナログ音声信号Ａａの再生処理により音声出力が行われる。
倍速ダビングモードでは、このようにして、第１の記憶装置１０１に記憶されている多重ビットストリームのダビングが行われるとともに、ダビング状況のモニタが行われる。
【００８４】
次に、倍速ダビングモードに比べてさらに高速なダビング処理が行われる５倍及び１５倍ダビングモードでの信号処理装置１００の動作について説明する。
上記第１の記憶装置の記録媒体（ハードディスク）や第２の記憶装置の記憶媒体（光ディスク）の最大転送レートは、１０Ｍｂｐｓに制限されるものではなく、これらの記録媒体に対してはさらに高速な転送レートでデータのアクセスが可能である。例えば、２５Ｍｂｐｓの転送レートでのデータアクセスが可能であれば、ダビング時のデータ転送速度は通常再生時の５倍となり、７５Ｍｂｐｓの転送レートでのデータアクセスが可能であれば、ダビング時のデータ転送速度は通常再生時の１５倍となる。
【００８５】
そこで、本実施の形態の信号処理装置１００はこのような高速なダビングモードを含むよう構成されている。
５倍速ダビングモードが設定されている場合の信号処理装置１００の動作は、復号器１０３の動作以外は、２倍速ダビングモードが設定されている場合の動作と全く同様に行われる。
【００８６】
つまり、復号部１０３のシステム解析部１１３では、上記２倍速ダビングモードの場合と同様、上記第１の記憶装置からの多重ビットストリームのヘッダ解析、上記多重ビットストリームからのビデオストリームＳｖ及びオーディオストリームＳａの分離処理が行われる。
【００８７】
そして、ビデオデコーダ１２３ａでは、図３(c)に示すように、読出しデータ（ビデオストリーム）Ｓｖに対して、イントラ復号化処理及びインター復号化処理を含む５倍速ダビング時の復号出力処理が施される。
【００８８】
この場合、図３(c)に示すように、１５フレーム期間に５つのＧＯＰのデータが転送されるため、ビデオデコーダ１２３ａでは、ビデオストリームの復号出力処理により、各ＧＯＰ毎に、１ないし３つのフレームに対応するビデオストリームの復号化データが出力される。また、復号化の対象となるフレームは、IフレームとＰフレームである。また、復号化処理が施されたフレームに対応する復号出力（デジタル映像データ）Ｄｖは、各ＧＯＰに対して３フレーム期間だけ出力される。この場合、３つの異なるフレームの復号出力をそれぞれ１フレーム期間づつ出力しても、同一フレームの復号出力を複数フレーム期間出力してもよい。
【００８９】
そして、ビデオストリームの復号出力は倍速ダビングモードの場合と同様、ビデオインターフェイス１３３ａを介して信号再生部１２０の映像表示部に供給される。
また、このとき、オーディオデコーダ１２３ｂでは、図４(c)に示すように、読出しデータ（オーディオストリーム）Ｓａに対して、５倍速ダビング時の復号出力処理が施される。
【００９０】
つまり、この場合、システム解析部１１３ａからのオーディオストリーム（読出しデータ）Ｓａの復号化処理は、図４(c)に示すように、連続する５つのＧＯＰの１つに対してのみ行われ、デジタル音声データ（復号出力）Ｄａが生成される。なお、５倍速ダビング時のオーディオ復号出力処理では、オーディオストリーム（読出しデータ）Ｓａの復号化処理はすべてのＧＯＰについて行い、復号化データの出力は、連続する５つのＧＯＰの１つに対してのみ行うようにしてもよい。
【００９１】
そして、オーディオストリームの復号出力は倍速ダビングモードの場合と同様、オーディオインターフェイス１３３ｂを介して信号再生部１２０の音声出力部に供給される。例えば、１ＧＯＰ期間連続でオーディオストリームの復号化処理が行われた後、４つのＧＯＰ期間のオーディオストリームの復号化処理がスキップされ、その後、第６ＧＯＰに対するオーディオストリームの復号処理が行われる。
【００９２】
５倍速ダビングモードでは、このようにして、第１の記憶装置１０１に記憶されている多重ビットストリームのダビングが行われるとともに、ダビング状況のモニタが行われる。
【００９３】
１５倍速ダビングモードが設定されている場合の信号処理装置１００の動作は、復号器１０３のビデオデコーダ及びオーディオデコーダの動作以外は、５倍速ダビングモードが設定されている場合の動作と全く同様に行われる。
【００９４】
ビデオデコーダ１２３ａでは、図３(d)に示すように、読出しデータ（ビデオストリーム）Ｓｖに対して、イントラ復号化処理及びインター復号化処理を含む１５倍速ダビング時の復号出力処理が施される。
【００９５】
この場合、図３(d)に示すように、１５フレーム期間に１５個のＧＯＰのデータが転送されるため、ビデオデコーダ１２３ａでは、ビデオストリームの復号出力処理により、各ＧＯＰ毎に、１つのフレームに対応するビデオストリームの復号化データが出力される。また、復号化の対象となるフレームは、Iフレームのみである。また、復号化処理が施されたフレームに対応する復号出力（デジタル映像データ）Ｄｖは、各ＧＯＰに対して１フレーム期間だけ出力される。
【００９６】
なお、この１５倍速ダビングモードでは、必ずしも各ＧＯＰ毎に、１つのフレームに対応する復号化データを出力する復号出力処理を行う必要はなく、複数のＧＯＰに対して１つのＩフレームの復号化データを出力する復号出力処理を行い、この際、Iフレームの復号出力（復号化データ）を複数フレーム期間出力するようにしてもよい。この場合、他のＩフレームの復号及び表示はスキップされることとなる。
【００９７】
そして、ビデオストリームの復号出力は５倍速ダビングモードの場合と同様、ビデオインターフェイス１３３ａを介して信号再生部１２０の映像表示部に供給される。
また、このとき、オーディオデコーダ１２３ｂでは、図４(d)に示すように、読出しデータ（オーディオストリーム）Ｓａに対して、１５倍速ダビング時の復号出力処理が施される。
【００９８】
つまり、この場合、システム解析部１１３からのオーディオストリーム（読出しデータ）Ｓａの復号化処理は、図４(d)に示すように、連続する１５つのＧＯＰの１つに対してのみ行われ、デジタル音声データ（復号出力）Ｄａが生成される。例えば、１ＧＯＰ期間連続でオーディオストリームの復号化処理が行われた後、１４個のＧＯＰ期間のオーディオストリームの復号化処理がスキップされ、その後、第１６ＧＯＰに対応するオーディオストリームの復号化処理が行われる。
【００９９】
なお、１５倍速ダビング時のオーディオ復号出力処理では、オーディオストリーム（読出しデータ）Ｓａの復号化処理はすべてのＧＯＰについて行い、復号化データの出力は、連続する１５個のＧＯＰの１つに対してのみ行うようにしてもよい。
【０１００】
そして、オーディオストリームの復号出力は５倍速ダビングモードの場合と同様、オーディオインターフェイス１３３ｂを介して信号再生部１２０の音声出力部に供給される。
【０１０１】
１５倍速ダビングモードでは、このようにして、第１の記憶装置１０１に記憶されている多重ビットストリームのダビングが行われるとともに、ダビング状況のモニタが行われる。
【０１０２】
また、上記ダビングモードでは、ユーザが操作部１０５のスイッチ１０５ａを操作することにより、ユーザ操作部１０５から操作信号Ｏpaが補助情報発生回路１０４に入力されると、該補助情報発生回路１０４では、第１の記憶装置１０１から第２の記憶装置１０２への転送データの書込みアドレスを示す補助情報Ｉａが発生され、発生された補助情報Ｉａがデータ書込制御部１０２ａに供給される。ここで、転送データの書込みアドレスは、データ読出制御部１０１ａから出力された多重ビットストリームＤが第２の記憶装置１０２の記憶媒体（光ディスク）に書き込まれる際のアドレスである。
【０１０３】
上記データ書込制御部１０２ａでは補助情報Ｉａが入力されると、該補助情報に基づいて、ユーザのスイッチ１０５ａの操作時における転送データの書き込みアドレスが第２の記憶装置の記録媒体の管理情報記録領域に書き込まれるよう上記第２の記憶装置を制御する動作が行われる。
【０１０４】
このように本実施の形態１の信号処理装置１００では、デジタルデータとしてＭＰＥＧのシステムストリームを記録する第１及び第２の記録装置１０１及び１０２と、第１の記録装置１０１からのシステムストリームの読出しを制御するデータ読出制御部１０１ａと、第１の記録装置１０１から読み出されたシステムストリームの第２の記録装置１０２への書込みを制御するデータ書込制御部１０２ａと、読み出されたシステムストリームを復号化する復号部１０３とを備え、上記復号部１０３では、システムストリームのダビング時、通常再生時の転送レートより高い転送レートで上記データ読出制御部１０１ａから出力されるシステムストリームのビデオストリーム及びオーディオストリームに復号出力処理を施して、該各ストリームの復号出力を離散的に出力するので、システムストリームのダビングを、ダビング状況をモニタしつつ行うことができる。これにより、高速ダビング時に、ユーザーがダビング位置をリアルタイムに知ることが可能となり、ユーザーが所望するデータ位置もしくはデータ時間にリアルタイムにマーカー（システムストリームに対する位置を示す情報）を発生することが可能となる。
【０１０５】
また、上記信号処理装置１００では、ユーザ操作により操作信号を発生するユーザ操作部１０５と、発生された操作信号に基づいて所定の制御信号を発生する動作制御部１０６とを備え、データ読出制御部１０１ａ，データ書込制御部１０２ａ及び復号部１０３では、上記動作制御部１０６からの制御信号により、通常再生モード，倍速ダビングモード，５倍速ダビングモード，１５倍速ダビングモードのいずれかのモードに対応した動作が行われるようにしたので、ダビング状況のモニターを詳細に行いたい、あるいはダビングを短時間に行いたいといったユーザの都合に応じて、ユーザがダビングモードを選択することができる。
【０１０６】
また、この実施の形態１の信号処理装置１００では、ユーザがユーザ操作部のスイッチを操作したとき、ユーザ操作時における転送データ（システムストリーム）の書き込みアドレスが第２の記憶装置の記録媒体の管理情報記録領域に書き込まれるようにしたので、ダビングにより第２の記録装置に記録したデータの頭だし位置の管理情報を、ダビング状況をモニターしながら作成することができる。
【０１０７】
また、ユーザーはスイッチを押す等の操作を行うだけで、ダビングデータの、ユーザーが所望するデータ位置にマーカー等の補助情報を付加して記録することが可能となる。
【０１０８】
上記書き込みアドレスとしての補助情報を、例えば重要なシーンのデータ（システムストリーム）に付けるマーカーとして発生することにより、ダビング後容易に重要シーンの頭出しができることになる。また、上記補助情報は、ダビングしたデータの再生時にリピートするリピート区間のＩＮ情報（リピート開始位置），ＯＵＴ情報（リピート終了位置）を設定するマーカーであってもよい。
【０１０９】
また、ユーザーが所望するデータの位置情報を高速ダビング時またはダビング終了時に光ディスク等の第２の記録媒体中に記録することができるので、第２の記録媒体に記録されているデータの再生時に、そのマーカーを利用することにより、容易に重要シーンの頭出し等行えることになり、上記補助情報としてのマーカを第２の記録媒体に書き込む方法は極めて有用なものである。
【０１１０】
さらに、上記実施の形態１では、オーディオストリームを部分的に再生して得られる音声では、各部の再生音声の出力は、間をあけないで、略連続的に行うのが望ましい。また、オーディオストリームの各部の再生音声のつなぎ目では、微少区間にわたって再生音声に対してミュート等の処理を施すことが望ましい。また、ダビングモードでは、再生音声の音量も全体的にやや落とし気味にすることが望ましい。
【０１１１】
なお、上記実施の形態１では、第４の動作モードでは、上記ビデオストリームに対する復号出力処理は、フレームを単位として行っているが、上記ビデオストリームに対する復号出力処理は、図３(e)に示すようにＧＯＰ（１５フレーム）を単位として行うようにしてもよい。この場合、復号出力処理の対象となるＧＯＰに対しては、該ＧＯＰを構成するすべてのフレームに対して、上記ビデオストリームに対する復号化処理が施されることとなる。
【０１１２】
例えば、第１ＧＯＰの１５個のフレームに対しては、通常再生モードにおけるビデオストリームの復号処理と同様の復号処理を施し、第２〜第１５のＧＯＰに対する復号処理をスキップし、その後第１６のＧＯＰの各フレームに対する復号化処理を通常再生モードにおけるビデオストリームの復号処理と同様に行う。これにより、ユーザーは間欠的ではあるが、なめらかな画像を認識することができる。ここで、連続する複数のフレームに対して通常再生モードにおけるビデオストリームの復号処理と同様な復号処理を施す期間は１ＧＯＰ期間に限るものではなく、１ＧＯＰ期間より短い期間でも、またそれより長い期間でもよい。
【０１１３】
さらに、上記実施の形態１では、音声データの間引き方として、離散的にオーディオストリームに対して復号処理を施す方法を示したが、復号処理の基本となるクロックの周波数を高めてすべてのデータを復号出力する方法等も考えられる。
【０１１４】
また、実施の形態１では、第１の記録装置に記録されているダビングの対象となるデジタルデータには音声情報と映像情報が混在している場合の、符号化されたデジタル音声データの再生方法について示したが、もちろんダビングの対象となるデジタルデータには、映像情報と音声情報のうち音声情報のみが含まれていてもよい。
【０１１５】
この場合、上記実施の形態１で示したＧＯＰという単位に代えて、所定のオーディオフレーム単位、１秒単位等の所定時間を表す単位、１Ｍビット等の所定データ量を示す単位などの単位を、適宜用いることが可能である。
また、上記実施の形態１では、補助情報として、システムストリームにおけるユーザーが所望する部分の位置を示すものを示したが、これはシステムストリームが記録されるときの、ユーザーが所望する部分の記録時刻を示すものであってもよい。また、上記補助情報は、ダビング中に記録する場合に限らず、ダビング終了直後に一括して記録するようにしてもよい。
さらに、上記実施の形態１では、ＭＰＥＧ符号化方式が１５フレームで１ＧＯＰを構成するものである場合を例に挙げたが、１ＧＯＰを構成するフレーム数は１５に限定されるものではない。
【０１１６】
また、上記実施の形態１では、高速ダビングモードでの平均データ転送速度として、通常再生モードにおける平均転送速度の５倍及び１５倍のものを示したが、上記高速ダビングモードでの平均データ転送速度は、これら以外の転送速度であってもよい。
また、上記実施の形態１では、ビデオストリームとして、デジタル映像データの符号化の際に発生する単位時間当たりの符号発生量が変化している可変レートのものを示したが、符号化されたデジタル映像データは、その符号化の際に発生する単位時間当たりの符号発生量が一定である一定レートのものであってもよい。
【０１１７】
また、上記実施の形態１では、第１及び第２の記録装置における記録媒体として、ＨＤＤや光ディスクを示したが、記録媒体はこれに限るものではなく、例えば磁気ディスク、半導体メモリ、あるいは磁気テープであってもよい。
また、上記実施の形態１では、補助情報は、光ディスクにおける、システムストリームが記録されるデータ記録領域とは別の管理領域に管理情報として記録する場合について示したが、上記補助情報はリアルタイムにシステムストリーム中に挿入してもよい。
【０１１８】
また、ユーザーが、ダビング中のシステムストリームの所望位置を示す補助情報を発生させる操作では、ユーザーの補助情報を発生させる操作を行った時点は、ユーザーが意図する、ダビング中のシステムストリームの所望位置が記録されるタイミングから一定時間遅延したものとなる。このため、マーカー設定位置情報としては、上記一定遅延時間を考慮して、ユーザの操作時点におけるシステムストリームの記録位置を補正し、ユーザの操作時点より所定時間だけ以前に記録されたシステムストリームの記録位置を示す補助情報を発生することが望ましい。ここで、システムストリームの記録位置の補正量は、ダビング速度に依存するように設定されることが望ましい。
【０１１９】
また、上記実施の形態１では、システムストリームにおけるビデオストリームとして、Ｉフレーム，Ｐフレーム及びＢフレームのストリームを含むものを示したが、上記ビデオストリームは、Ｉフレーム及びＰフレームのストリームのみを含むもの、あるいはＩフレームのストリームのみを含むものであってもよい。
【０１２０】
また、上記実施の形態１では、信号処理装置として、第１及び第２の記憶装置１０１及び１０２，データ読出制御部１０１ａ，データ書込制御部１０２ａ，復号部１０３，補助情報発生回路１０４，ユーザ操作部１０５，動作制御部１０６が１つの装置筐体１００ａ内に格納されているものを示したが、上記信号処理装置はこのような構成に限らず、上記各部は別々の装置筐体内に格納され、それぞれ所定のインターフェイスを介して接続されたものでもよい。
【０１２１】
また、第１の記憶装置１０１及びデータ読出制御部１０１ａは、インターネット上のデータ送信端末装置に搭載され、上記第２の記憶装置１０２，データ書込制御部１０２ａ，復号部１０３，補助情報発生回路１０４，及びユーザ操作部１０５は、インターネット上のデータ受信端末装置に搭載されていてもよい。この場合、データ送信端末装置及びデータ受信端末装置はそれぞれ、動作制御部１０６に対応する制御部を有することとなる。また、上記復号部１０３は、データ受信端末装置ではなく、データ送信端末装置に搭載されていてもよい。
【０１２２】
さらに、上記実施の形態１では、ダビングモード時におけるオーディオストリームの復号出力処理として、オーディオストリームの復号化をＧＯＰを単位として離散的に行う場合を示したが、オーディオストリームの復号出力処理では、すべてのＧＯＰに対するオーディオストリームの復号化を行い、該復号化により得られたデジタル音声データを出力する出力処理を、ＧＯＰを単位として離散的に行うようにしてもよい。
【０１２３】
（実施の形態２）
図５は本発明の実施の形態２による信号処理装置を説明するための図であり、図(a)は、信号処理装置における復号部の構成を示し、図(b)は該復号部の動作モードが切り替えられる様子を示している。
【０１２４】
この実施の形態２の信号処理装置は、実施の形態１の信号処理装置１００における復号部１０３に代えて、可変レート符号化における符号発生率の変化に応じて、ビデオストリームに対する復号出力処理のモード（復号モード）を切り換える復号部２０３を備えたものであり、その他の構成は、上記実施の形態１の信号処理装置１００と同一である。
【０１２５】
すなわち、この実施の形態２の信号処理装置における復号部２０３は、第１の記憶装置１０１から読み出された多重ビットストリーム（システムストリーム）Ｄを解析し、該多重ビットストリームからビデオストリームＳｖとオーディオストリームＳａを分離して出力するとともに、該ビデオストリームＳｖにおける単位時間当たりの符号発生量（符号化レート）Ｒを示す符号レート情報Ｓｔｒを出力するストリーム解析部２１３と、ストリーム解析部２１３から出力されたビデオストリームＳｖを上記解析結果に応じて復号化する映像復号化処理を行い、該映像復号化処理により得られた復号化データ（デジタル映像データ）Ｄｖを出力するビデオデコーダ２２３ａとを有している。ここでは、上記システム解析部２１３は、ＧＯＰヘッダに含まれる符号化レートを示す情報から上記符号化レートＲを検出するものとなっている。
【０１２６】
ここでは、上記ビデオデコーダ２２３ａは、上記システム解析部からの符号レート情報Ｓｔｒに基づいて、上記ダビングモード（第２及び第３の動作モード）では、上記映像復号化処理を、Ｉ画像復号モード及びＩＰ画像復号モードのうちの、上記符号レート情報Ｓｔｒに応じた復号モードで行うものとなっている。つまり、上記Ｉ画像復号モードは、多重ビットストリームから分離されたビデオストリームに基づいてＩフレームに対する復号化処理のみ行う復号モードであり、上記ＩＰ画像復号モードは、上記ビデオストリームに基づいて、Ｉフレーム及びＰフレームに対する復号化処理のみ行う復号モードである。また、ビデオデコーダ２２３ａは、符号レート情報Ｓｔｒが示す符号化レートが大きい場合にはＩＰ画像復号モードを選択し、符号レート情報Ｓｔｒが示す符号化レートが小さい場合にはＩ画像復号モードを選択するものとなっている。
【０１２７】
そして、この実施の形態２の信号処理装置における復号部２０３は、上記実施の形態１の復号部１０３と同様、ストリーム解析部２１３から出力されたオーディオストリームＳａを上記解析結果に応じて復号化する音声復号化処理を行い、該音声復号化処理により得られた復号化データ（デジタル音声データ）Ｄａを出力するオーディオデコーダ１２３ｂと、上記ビデオデコーダ１２３ａから出力されたデジタル映像データＤｖをアナログ映像信号Ａｖに変換して出力端子１０３ｂに出力するビデオインターフェイス１３３ａと、上記オーディオデコーダ１２３ｂから出力されたデジタル音声データＤａをアナログ音声信号Ａａに変換して出力端子１０３ｃに出力するオーディオインターフェイス１３３ｂとを有している。なお、上記出力端子１０３ｂに出力されたアナログ映像信号Ａａは映像表示部に再生され、該映像表示部にて画像表示が行われる。また、上記出力端子１０３ｃに出力されたアナログ音声信号Ａａは音声出力部に供給され、該音声出力部からは再生された音声が出力される。
【０１２８】
次に動作について説明する。
この実施の形態２の信号処理装置の動作は、復号部２０３の動作以外は実施の形態１の信号処理装置１００における動作とほぼ同様であるため、以下の説明では、主として復号部２０３の動作について説明する。
【０１２９】
この実施の形態２の信号処理装置では、まず、ユーザ操作部１０５に対するユーザ操作Ｕosにより、上記第１〜第４の動作モードのうちの１つが設定される。そして、信号処理装置では、設定された動作モードに応じて、第１の記憶装置に格納されているＭＰＥＧの多重ビットストリームに基づいた映像データ及び音声データの再生、及び多重ビットストリームの種々の高速ダビングが行われる。
【０１３０】
簡単に説明すると、通常再生モードが設定されている場合、この実施の形態２の信号処理装置では、実施の形態１の信号処理装置１００と全く同様に、第１の記憶装置１０１からの多重ビットストリームの読出し、ビデオストリーム及びオーディオストリームの分離及び復号処理、並びに、デジタル映像データ及びデジタル音声データの再生が行われる。
【０１３１】
そして、２倍速，５倍速，あるいは１５倍速ダビングモードが設定されている場合、システム解析部２１３では、第１の記憶装置１０１から読み出された多重ビットストリーム（システムストリーム）Ｄが解析されるとともに、該多重ビットストリームからビデオストリームＳｖとオーディオストリームＳａが分離され、さらにＧＯＰヘッダに含まれる符号化レートを示す情報から、該ビデオストリームＳｖにおける単位時間当たりの符号発生量（符号化レート）Ｒを示す符号レート情報Ｓｔｒが検出され、該符号レート情報Ｓｔｒが上記ビデオデコーダ２２３ａに出力される。
【０１３２】
ビデオデコーダ２２３ａでは、該符号レート情報Ｓｔｒに基づいて、多重ビットストリームから分離されたビデオストリームに対する復号出力処理が行われる。
つまり、ビデオデコーダ２２３ａでは、符号レート情報Ｓｔｒが示す符号化レートＲが、所定の閾値Ｒｔｈ以上である場合にはＩＰ画像復号モードでもってビデオストリームに対する復号出力処理が行われ、符号レート情報Ｓｔｒが示す符号化レートＲが、所定の閾値Ｒｔｈ未満である場合には、Ｉ画像復号モードでもってビデオストリームに対する復号出力処理が行われる（図５(b)参照）。
【０１３３】
例えば、図５(b)に示すように、符号レート情報Ｓｔｒが示す符号化レートＲが変動する場合、時刻Ｔａから時刻Ｔｂの期間は、符号化レートＲは所定の閾値Ｒｔｈ以上となっており、この期間には、ビデオデコーダ２２３ａではビデオストリームに対してＩＰ画像復号モードの復号出力処理が施される。一方、時刻Ｔｂから時刻Ｔｃの期間は、符号化レートＲは所定の閾値Ｒｔｈ未満となっており、この期間には、ビデオデコーダ２２３ではビデオストリームに対してＩ画像復号モードの復号出力処理が施される。
【０１３４】
ビデオデコーダ２２３ａでのビデオストリームの復号出力処理により得られたデジタル映像データＤｖは、ビデオインターフェイス１３３ａを介してアナログ映像信号Ａｖとして、信号再生部の映像表示部に出力される。
【０１３５】
また、上記ビデオデコーダ２２３ａでのビデオストリームの復号出力処理と並行して、オーディオデコーダ１２３ｂでは、オーディオストリームの復号出力処理が実施の形態１の復号器１０３におけるものと同様に行われ、オーディオストリームＳａの復号出力処理により得られたデジタル音声データＤａは、オーディオインターフェイス１３３ｂを介してアナログ音声信号Ａａとして、信号再生部の音声出力部に出力される。
【０１３６】
このように本実施の形態２の信号処理装置では、実施の形態１の信号処理装置１００における復号部１０３に代えて、多重ビットストリーム（符号化データ）のダビングの際、可変レート符号化における符号化レートが大きい場合にはＩＰ画像復号モードを選択し、符号レート情報Ｓｔｒが示す符号化レートが小さい場合にはＩ画像復号モードを選択する復号部２０３を備えたので、複雑な画像に対応する符号化データがダビングされているときには、ダビング状況のモニタ画像として表示される画像の時間当たりの分解能が高まり、一方、簡単な画像に対応する符号化データがダビングされているときには、モニタ画像として表示される画像の時間当たりの分解能が低下する。このため、複雑な画像に対応する符号化データのダビング中には、モニタ画像として動きがなめらかな画像を表示することができ、また、簡単な画像に対しては符号化データのより高速なダビングが可能となる。
【０１３７】
なお、上記実施の形態２では、上記ストリーム解析部２１３における符号化レートＲの検出方法として、ＧＯＰヘッダに含まれる符号化レートを示す情報から符号化レートＲを検出するものを示したが、符号化レートＲの検出方法はこれに限るものではなく、例えば、単位時間当たりに検知されるＧＯＰヘッダの個数に基づいて符号化レートＲを検出する方法でもよい。
【０１３８】
また、上記実施の形態１及び２では、信号処理装置として、ダビングモードとして、２倍速，５倍速，及び１５倍速ダビングモードを有し、これらのダビングモードのいずれかを設定可能なものを示したが、信号処理装置は、１つのダビングモードのみを有するものであってもよい。
【０１３９】
また、上記各実施の形態では、上記倍速ダビングモード（あるいは５倍速ダビングモード）及びＩＰ画像復号モードが設定されている場合の復号出力処理は、Ｉフレーム及びＰフレームに対してはすべてビデオストリームの復号化処理を施すものとしたが、復号出力処理は、ＧＯＰにおける、表示が行われないフレーム以降のＩフレームあるいはＰフレームの復号化処理は行わないものでもよい。逆に、復号部の処理能力に余裕がある場合には、上記倍速ダビングモード（あるいは５倍速ダビングモード）及びＩＰ画像復号モードが設定されている場合の復号出力処理は、Ｉフレーム及びＰフレームだけでなくＢフレームに対しても復号処理を施すものであってもよい。
【０１４０】
また、上記各実施の形態では、上記１５倍速ダビングモード及びＩ画像復号モードが設定されている場合の復号出力処理は、Ｉフレームに対してはすべてビデオストリームの復号化処理を施すものとしたが、復号出力処理は、ＧＯＰにおける、表示が行われないフレーム以降のＩフレームの復号化処理は行わないものでもよい。逆に、復号部の処理能力に余裕がある場合には、上記１５倍速ダビングモード及びＩ画像復号モードが設定されている場合の復号出力処理は、ＩフレームだけでなくＰフレーム及びＢフレームに対しても復号処理を施すものであってもよい。
【０１４１】
また、上記各実施の形態では、１つの画像系列が複数のフレームにより構成されている場合を示しているが、１つの画像系列は複数のフィールドにより構成されているものであってもよく、フィールドはフレームと同様、１つの画像系列を構成する画面として扱うことができる。
【０１４２】
【発明の効果】
以上のように、本発明（請求項１）に係る信号処理方法によれば、デジタル映像情報及びデジタル音声情報の少なくとも一方を含む符号化データをダビングするダビング処理を含む信号処理方法であって、前記符号化データが記録されている第１の記録媒体から前記符号化データを、通常再生時に必要な第１の平均転送レートより高い第２の平均転送レートで読み出す第１の信号処理ステップと、読み出された前記符号化データを前記第２の平均転送レートで第２の記録媒体に書込むとともに、前記符号化データの少なくとも一部を復号化し、書込まれている前記符号化データに対応する復号化データを出力する第２の信号処理ステップとを含み、前記第２の信号処理ステップでは、ユーザ操作により発生する操作信号に基づいて、前記第２の記録媒体へ書込まれる前記符号化データの書込み位置または書込み時刻を示す補助情報が前記第２の記録媒体へさらに書込まれるので、符号化されたデジタル映像データあるいはデジタル音声データの高速ダビングの際には、ダビング状況をモニタでき、さらに、ダビング中の符号化データにおける、ユーザーが所望するデータ位置を示す情報を、ダビング後にユーザーが容易に抽出できるという効果が得られる。
【０１４３】
この発明（請求項２）によれば、請求項１記載の信号処理方法において、前記符号化データが、画像の複雑さに応じて単位時間当たりの発生符号量が変化する可変レート符号化処理によりデジタル映像信号を符号化したデータであり、前記第２の信号処理ステップでは、前記復号化データとしてデジタル映像信号が出力されるものとしたので、デジタル映像信号をＭＰＥＧ方式の可変レート符号化処理により符号化して得られた符号化データの高速ダビング時にも、ダビング状況をモニタできるという効果が得られる。
【０１４４】
この発明（請求項３）によれば、請求項２記載の信号処理方法において、前記可変レート符号化処理が、符号化対象となるフレームあるいはフィールドである対象画面に対して、他のフレームあるいはフィールドである他画面を参照せずに前記デジタル映像信号の符号化処理を施す画面内符号化処理と、前記対象画面に対して、前記他画面を参照して前記デジタル映像信号の符号化処理を施す画面間予測符号化処理とを含み、前記第２の信号処理ステップでは、前記画面内符号化処理が施された複数の画面の少なくとも一部に対する前記復号化データが離散的に出力され、１つの画面に対応する出力状態が、次の画面に対応する前記復号化データが出力されるまで保持されるものとしたので、ＭＰＥＧ方式の可変レート符号化処理が施された映像データの高速ダビング時にも、モニタ画像を途切れることなく表示することができるという効果がある。
【０１４５】
この発明（請求項４）によれば、請求項２記載の信号処理方法において、前記可変レート符号化処理が、符号化対象となるフレームあるいはフィールドである対象画面に対して、他のフレームあるいはフィールドである他画面を参照せずに前記デジタル映像信号の符号化処理を施す画面内符号化処理と、前記対象画面に対して、時間軸上で前記対象画面の前に位置する、他のフレームあるいはフィールドである前画面を参照して前記デジタル映像信号の符号化処理を施す画面間予測符号化処理とを含み、前記第２の信号処理ステップでは、前記画面内符号化処理あるいは前記画面間予測符号化処理が施された複数の画面の少なくとも一部に対する前記復号化データが離散的に出力され、１つの画面に対応する出力状態が、次の画面に対応する前記復号化データが出力されるまで保持されるものとしたので、ＭＰＥＧ方式の可変レート符号化処理が施された映像データの高速ダビング時にも、モニタ画像を、なめらかにしかも途切れることなく表示することができるという効果がある。
【０１４６】
この発明（請求項５）によれば、請求項４記載の信号処理方法において、前記第２の信号処理ステップでは、前記画面内符号化処理が施された画面のみに対して、前記符号化データの復号化処理を施す第１の復号化処理と、前記画面内符号化処理及び前記画面間予測符号化処理が施された画面に対して、前記符号化データの復号化処理を施す第２の復号化処理とを、前記符号化データの単位時間当たりの符号発生量に応じて切り換えられるものとしたので、複雑な画像に対応する符号化データがダビングされているときには、ダビング状況のモニタ画像として表示される画像の時間当たりの分解能が高まり、一方、簡単な画像に対応する符号化データがダビングされているときには、モニタ画像として表示される画像の時間当たりの分解能が低下する。このため、複雑な画像に対応する符号化データのダビング中には、モニタ画像として動きがなめらかな画像を表示することができ、また、簡単な画像に対しては符号化データのより高速なダビングが可能となる。
【０１４７】
この発明（請求項６）によれば、請求項２記載の信号処理方法において、前記第２の信号処理ステップでは、フレームあるいはフィールドとしての画面を複数含む画面群の１つまたは複数を単位として復号化し、前記画面群の１つまたは複数に対応する前記復号化データを、一つの連続した前記復号化データとして出力し、前記連続した復号化データの最後の画面に対応する出力状態が、次の１つまたは複数の画面群に対応する前記復号化データが出力されるまで保持されるものとしたので、ＭＰＥＧ方式の可変レート符号化処理が施された映像データの高速ダビング時にも、一定数のフレームにわたって連続的に画像を表示する処理を、画像表示が途切れるのを回避しつつ間欠的に行うことができるという効果がある。
【０１４８】
この発明（請求項７）によれば、請求項２記載の信号処理方法において、前記第２の平均転送レートを、ＭＰＥＧ方式の可変レート符号化処理における最大符号化レートに略等しいものとしたので、例えば、ＤＶＤプレーヤからＤＶＤレコーダへのダビングなどの際には、通常再生時と高速ダビング時とで第１の記録媒体と再生ヘッドとの相対速度が略等しく設定されることになり、ＤＶＤのシステム構成が簡単となるという効果が得られる。
【０１４９】
この発明（請求項８）によれば、請求項２記載の信号処理方法において、前記第２の平均転送レートを、ＭＰＥＧ方式の可変レート符号化処理における最大符号化レートより高い転送レートとしたので、例えば、ハードディスクからハードディスクへのダビングなどの際には、通常再生時に比べダビング時のデータ転送レートが大幅に向上することとなり、極めて高速のダビングが可能となる効果がある。
【０１５０】
この発明（請求項９）によれば、請求項１記載の信号処理方法において、前記符号化データが、デジタル音声信号を符号化したデータであり、前記第２の信号処理ステップでは、前記復号化データとしてデジタル音声信号が出力されるものとしたので、デジタル音声データを符号化して得られる符号化データの高速ダビングの際に、音声ダビング状況をモニタできるという効果がある。
【０１５１】
この発明（請求項１０）によれば、請求項９記載の信号処理方法において、前記第２の信号処理ステップでは、第１の期間には前記符号化データを復号化し、前記第１の期間に続く第２の期間には前記符号化データの復号化をスキップする間欠的な音声復号化処理を繰り返し行い、前記第１の期間及び前記第２の期間の間に、第１の期間に復号化されたデジタル音声信号が出力されるものとしたので、符号化されたデジタル音声データの高速ダビング時にも、音声データのダビング状況を、通常再生時の音質程度でモニタすることができるという効果がある。
【０１５３】
この発明（請求項１１）によれば、請求項１記載の信号処理方法において、前記第２の信号処理ステップでは、前記補助情報が、前記第２の記録媒体の、記録対象となるデータの管理情報が記録される管理情報記録領域に記録されるものとしたので、ダビング中の符号化データにおける、ユーザーが所望するデータ位置を示す情報を、ダビング後にユーザーが容易に抽出できるという効果が得られる。
【０１５４】
この発明（請求項１２）によれば、請求項１記載の信号処理方法において、前記第２の信号処理ステップでは、前記補助情報を、前記ユーザ操作信号が発生した時刻より所定時間だけ以前に前記第２の記録媒体への書込みが行われた前記符号化データの書込み位置または前記符号化データの書込み時刻を示すものとなるよう補正し、補正後の前記補助情報が、第２の記録媒体に書込まれるものとしたので、ダビング後、ユーザーの所望するデータを精度よく容易に抽出できるという効果が得られる。
【０１５５】
この発明（請求項１３）によれば、請求項１記載の信号処理方法において、前記第１の記録媒体として、また前記第２の記録媒体として、ハードディスク，光ディスク，光磁気ディスク，半導体メモリ，あるいは磁気テープを用いるので、テープまたはディスク媒体から、ディスク媒体、半導体メモリ媒体、あるいはテープ媒体への高速ダビング時にも、ダビング状況をモニタできる。
【０１５６】
この発明（請求項１４）に係る信号処理装置によれば、デジタル映像情報及びデジタル音声情報の少なくとも一方を含む符号化データをダビングする信号処理装置であって、前記符号化データが記録されている第１の記録媒体から前記符号化データを、通常再生時に必要な第１の平均転送より高い第２の平均転送レートで読み出し、読み出された前記符号化データを前記第２の平均転送レートで第２の記録媒体に書込むデータ書込部と、読み出された前記符号化データの少なくとも一部を復号化し、書込まれている前記符号化データに対応する復号化データを出力する復号化部とを備え、前記データ書込部が、ユーザ操作により発生する操作信号に基づいて、前記第２の記録媒体へ書込まれる前記符号化データの書込み位置または書込み時刻を示す補助情報を前記第２の記録媒体へさらに書込むものとしたので、符号化されたデジタル映像データあるいはデジタル音声データの高速ダビングの際に、ダビング状況をモニタできるという効果が得られる。
【図面の簡単な説明】
【図１】本発明の実施の形態１による信号処理装置を説明するブロック図であり、図(a)は該信号処理装置の全体構成を示し、図(b)は該信号処理装置における復号部の構成を示している。
【図２】上記実施の形態１の信号処理装置で処理される符号化データ（ビデオストリーム）を説明するための図であり、画像系列Ｉｍを構成する各フレームの時間軸上での配列（図(a)）、ビデオストリーム中での各フレームの符号化データの配列（図(b)）、及びビデオストリーム中でのＧＯＰとフレームとの関係（図(c)）を示している。
【図３】上記実施の形態１の信号処理装置の復号部によるビデオストリームの復号出力処理を説明するための図であり、通常再生モード（図(a)），２倍速ダビングモード（図(b)），及び高速ダビングモード（図(c)，(d)，(e)）にて復号出力処理の対象となるフレームを示している。
【図４】上記実施の形態１の信号処理装置の復号部によるオーディオストリームの復号出力処理を説明するための図であり、通常再生モード（図(a)），倍速ダビングモード（図(b)），及び高速ダビングモード（図(c)，(d)，(e)）にて復号出力処理の対象となるＧＯＰを示している。
【図５】本発明の実施の形態２による信号処理装置を説明するための図であり、図(a)は該信号処理装置における復号部の構成を示し、図(b)は、該復号部にて復号モードが切り換えられる様子を示している。
【図６】従来の記録再生装置の概略的な構成を示すブロック図である。
【符号の説明】
１００  信号処理装置
１００ａ  信号処理装置筐体
１０１  第１の記憶装置
１０１ａ  データ読出制御部
１０２  第２の記憶装置
１０２ａ  データ書込制御部
１０３，２０３  復号部
１０３ａ  入力端子
１０３ｂ，１０３ｃ  出力端子
１０４  補助情報発生回路
１０５  ユーザ操作部
１０５ａ〜１０５ｃ  スイッチ
１０６  動作制御部
１１３，２１３  システム解析部
１２０  信号再生部
１２３ａ，２２３ａ  ビデオデコーダ
１２３ｂ  オーディオデコーダ
１３３ａ  ビデオインターフェイス
１３３ｂ  オーディオインターフェイス
【図１】
0004377079.tif 000002
【図２】
0004377079.tif 000003
【図３】
0004377079.tif 000004
【図４】
0004377079.tif 000005
【図５】
0004377079.tif 000006
【図６】
0004377079.tif 000007